【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
第２の材料により取り囲まれる第１の材料の状態を評価するデバイスにおいて、
ａ．第１の支持構造体に機械的に付属するハウジングと、
ｂ．供給端と発射端とを有する電磁波ランチャであって、
前記供給端は、前記電磁波ランチャを介して伝搬可能である電磁波を励起するように構成された供給機構を含み、
前記発射端は、前記電磁波ランチャの外部の領域に前記電磁波を伝送するように構成され、前記第２の材料の内部での前記第１の材料の存在から反射する対象の電磁波を十分に検出できる程度に複数の反射を減少させるように、且つ、前記発射端を介して伝搬する前記電磁波の共鳴を減少させるように、物理的に構成され、
前記電磁波ランチャは、前記反射した対象の電磁波と前記第２の材料の不連続から反射したスプリアスの電磁波との間を十分に区別する期間だけ、第２の材料の内部での前記第１の材料の存在から反射する前記電磁波の受け取りを遅延するように調整された、電磁波ランチャと、並びに、
ｃ．供給推移セクションであって、
前記供給端は、無線周波数信号を、前記電磁波から及び前記電磁波へ、調整し、
前記発射端は、前記電磁波ランチャ内に別途存在するクラッタのレベルを十分に減少させる程度まで、前記供給端における前記励起された電磁波の複数の反射を減少させるように構成された、供給推移セクションと
を含み、
前記ハウジングは、前記電磁波ランチャ及び前記供給推移セクションを搭載する、
デバイス。
【請求項２】
前記電磁波ランチャ、前記供給推移セクション、及び前記ハウジングが、ポータブルユニットとして構成されている、請求項１に記載のデバイス。
【請求項３】
前記第１の支持構造体は、エリアをスキャンするハンドヘルド構成が前記第１の材料の前記状態を評価することを可能にするハンドヘルドエレメントを含む、請求項１に記載のデバイス。
【請求項４】
前記第１の支持構造体は、第１のアームを含み、該第１のアームはその長手沿いの第１の次元で前記装置の移動をガイドし、第２の支持構造体に付属する、請求項１に記載のデバイス。
【請求項５】
第２のアームの長手沿いの第２の次元で前記装置の移動をガイドする第２のアームを有する第３の支持構造体を、更に含み、
前記第３の支持構造体は、前記第１の支持構造体に付属し、前記第１の支持構造体の前記第１のアームは、前記第３の支持構造体の前記第２のアームと直交する、請求項４に記載のデバイス。
【請求項６】
第３のアームの長手沿いの第３の次元で前記装置の移動をガイドする第３のアームを有する第４の支持構造体を、更に含み、
前記第４の支持構造体は、前記第１の支持構造体に付属し、前記第１の支持構造体の前記第１のアーム、前記第３の支持構造体の前記第２のアーム、及び、前記第４の支持構造体の前記第３のアームは、相互に直交する、請求項５に記載のデバイス。
【請求項７】
前記第１の支持構造体は伸縮式アームを含む、請求項１に記載のデバイス。
【請求項８】
対象の前記電磁波を検出して計測する無線周波数サブシステムを更に含み、前記無線周波数サブシステムは、前記ハウジングにインストールされ、０．２５ＧＨｚと３０ＧＨｚの間の周波数範囲の電磁波を生成して検出することができる、請求項１に記載のデバイス。
【請求項９】
対象の前記電磁波を検出して計測する無線周波数サブシステムを更に含み、前記無線周波数サブシステムは、前記ハウジングにインストールされ、０．１ナノ秒と１０ナノ秒の間の範囲の期間の時間領域パルスと関連する複数の電磁波を生成して検出することができる、請求項１に記載のデバイス。
【請求項１０】
前記電磁波ランチャは電磁気エネルギを吸収できる無線周波数吸収体材料を含み、前記無線周波数吸収体材料は、前記複数の反射を減少させるように、且つ、前記電磁波ランチャを介して伝搬する前記電磁波の前記共鳴を減少させるように、配置される、請求項１に記載のデバイス。
【請求項１１】
前記無線周波数吸収体材料は、前記電磁波ランチャの前記発射端に近接して配置される吸収材料の少なくとも一つの層を含む、請求項１０に記載のデバイス。
【請求項１２】
前記電磁波ランチャの前記発射端は、少なくとも一つの円滑なエッジを有する、請求項１に記載のデバイス。
【請求項１３】
前記デバイスの移動を提供するモータを更に含む、請求項１に記載のデバイス。
【請求項１４】
複数の電磁波ランチャを更に含み、
前記複数の電磁波ランチャの少なくとも一つは、前記電磁波を伝送する、請求項１に記載のデバイス。
【請求項１５】
前記複数の電磁波ランチャは、前記第１の材料の前記状態を評価するためにエリアを電子的にスキャンするように構成されている、請求項１４に記載のデバイス。
【請求項１６】
前記デバイスは、前記第１の材料の前記状態と前記第２の材料の状態から成るグループから選択される要素の評価の結果を生成するように構成され、前記結果は画像により表される、請求項１に記載のデバイス。
【請求項１７】
前記供給推移セクションは、キャビティが後ろにある供給ピンを含む、請求項１に記載のデバイス。
【請求項１８】
前記電磁波ランチャは更に、可変の導電性を有する材料を含む、請求項１に記載のデバイス。
【請求項１９】
第２の材料により取り囲まれる第１の材料の状態を評価する方法において、
ａ．第１の支持構造体に機械的に付属するハウジングと；
供給端と発射端とを有する電磁波ランチャであって、
前記供給端は、前記電磁波ランチャを介して伝搬可能である電磁波を励起するように構成された供給機構を含み、前記発射端は、前記電磁波ランチャの外部の領域に前記電磁波を伝送するように構成され、前記第２の材料の内部での前記第１の材料の存在から反射する対象の電磁波を十分に検出できる程度に複数の反射を減少させるように、且つ、前記発射端を介して伝搬する前記電磁波の共鳴を減少させるように、物理的に構成され、
前記電磁波ランチャは、前記反射した対象の電磁波と前記第２の材料の不連続から反射したスプリアスの電磁波との間を十分に区別する期間だけ、第２の材料の内部での前記第１の材料の存在から反射する前記電磁波の受け取りを遅延するように調整された、電磁波ランチャと；並びに、
供給推移セクションであって、
前記供給端は、無線周波数信号を、前記電磁波から及び前記電磁波へ、調整し、
前記発射端は、前記電磁波ランチャ内に別途存在するクラッタのレベルを十分に減少させる程度まで、前記供給端における前記励起された電磁波の複数の反射を減少させるように構成された、供給推移セクションとを
提供するステップと、
ｂ．前記第１の材料の領域の前記状態を評価するのに用いられる低共鳴ＥＭ波ランチャのタイプを判別するステップと、
ｃ．前記第１の材料の前記領域に近接して前記ＥＭ波ランチャの前記発射端を配置するステップと、
ｄ．所定の周波数範囲内で伝搬する複数のＥＭ波を、前記第１の材料の前記領域内に発射するステップと、
ｅ．前記ＥＭ波ランチャにより発射される前記複数のＥＭ波の伝搬の結果として、ＥＭ波ランチャ内に入ってくるＥＭ波に関連する、データのセットを計測するステップと、
ｆ．前記第２の材料の内部の前記第１の材料の前記存在の識別に基づいて、前記第１の材料の前記状態を判別するステップと
を含む、方法。
【請求項２０】
前記低共鳴ＥＭ波ランチャの前記タイプは、固定式デバイス、ポータブルデバイス、及びハンドヘルドデバイスから成るグループから選択されるデバイスの一部である、請求項１９に記載の方法。
【請求項２１】
前記電磁波ランチャの前記発射端を配置する前記ステップは更に、物理構造の外表面の２インチの範囲内に、前記第１の材料の前記領域の近傍にてできるだけ近接して、前記電磁波ランチャの前記発射端を配置するステップを含む、請求項１９に記載の方法。
【請求項２２】
前記状態は、前記第２の材料の内部での、前記第１の材料の貫通の配置及び程度を含む、請求項１９に記載の方法。
【請求項２３】
前記第１の材料の前記状態を判別するステップは更に、
ａ．前記データのセットを、更なるデータ処理に適する領域に変換するステップと、
ｂ．少なくとも一つのデータ処理方法により前記データのセットを処理するステップと、
ｃ．前記データのセットを較正するステップと、及び、
ｄ．前記第２の材料の内部での、前記第１の材料の貫通の配置及び程度を判別するステップと
を含む、請求項１９に記載の方法。
【請求項２４】
前記第１の材料の前記状態を判別するステップは更に、
ａ．前記データのセットを格納する手段を提供するステップと、
ｂ．前記第１の材料の前記状態を評価するための、前記データのセットを処理するコンピュータベースのプロセッサを提供するステップと、
ｄ．前記データのセットを格納する前記手段から、前記コンピュータベースのプロセッサへ、前記データのセットを転送するステップと、
ｅ．少なくとも一つのデータ処理方法により前記データのセットを処理するステップと
を含む、請求項１９に記載の方法。
【請求項２５】
評価される前記第１の材料の特性に従って選択されるデータ処理方法を利用して、前記データのセットを処理するステップを、更に含む、請求項１９に記載の方法。
【請求項２６】
前記データのセットの前記処理は、前記第２の材料の厚さを判別する、請求項１９に記載の方法。
【請求項２７】
前記第１の材料の前記状態についての情報を視覚的に表示するステップを、更に含む、請求項１９に記載の方法。